(57)【特許請求の範囲】
【請求項１】
適宜間隔をおいて立設された複数の支柱の上端部から前方に張出された複数の主梁と、該主梁の後端部間において左右方向に差し渡された後方側の桁梁と、前記主梁の前端部間において左右方向に差し渡された前方側の桁梁とが枠組されて形成された屋根枠に、上方に開口した箱形状の屋根材であって、前記屋根材は、前後の縦壁と左右の縦壁と底板によって箱形状に形成されると共に、前後の縦壁から外方に張出片がそれぞれ突設され、一方、前方側の桁梁と後方側の桁梁には屋根材の支持材が相対向して固定され、該支持材は各桁梁に固定される縦板部の上下端部から屋根材の方向へ上板部と下板部が突設され、前記上板部と下板部とに前記屋根材の張出片下面と底板下面とがそれぞれ載置されて、前記屋根材が屋根枠に取付けられていることを特徴とする屋根構造。
【発明の詳細な説明】
【技術分野】
【０００１】
本発明は、自転車置場、カーポート、バス停留所、渡り廊下、地下道の入口、公園等の休憩所などに用いられる簡易屋根構造物の屋根構造に関するものである。
【背景技術】
【０００２】
従来、カーポート、バス停、シェルターなど簡易屋根構造物の屋根構造については、例えば特許文献１には、天井ユニット６０は、連結杆６１と、この連結杆６１に固定された天面６２とからなり、天面６２は多数の天井板６３から構成され、各天井板６３を一方の側端において螺子６４により連結杆６１に固定している。また、天井板６３は、螺子６４により固定される側端に断面「コ」字状をした嵌合溝６５が形成されるとともに、反対側の側端に嵌合片６６が形成されており、嵌合溝６５に嵌合片６６を嵌合させることにより、隣り合う天井板６３間を連結している構成の屋根構造が開示されている。
【先行技術文献】
【特許文献】
【０００３】
【特許文献１】特開２００７−２５４９８９号公報
【発明の概要】
【発明が解決しようとする課題】
【０００４】
しかしながら、かかる従来の簡易屋根構造物の屋根構造においては、螺子により固定される側端に断面「コ」字状をした嵌合溝が形成されるとともに、反対側の側端に嵌合片が形成されており、嵌合溝に嵌合片を嵌合させることにより、隣り合う天井板間を連結しているので、天井板の端部を嵌合溝に嵌合させ、さらに枠体を形成する連結杆にそれを固定すると言った非常に手間のかかる作業によって形成されていた。
【０００５】
本発明は、前記の如き課題を解消し、効率的に形成できる屋根構造を提供せんとするものである。
【課題を解決するための手段】
【０００６】
上記目的を達成するために、本発明は次のような構成としている。
すなわち本発明に係る屋根構造は、適宜間隔をおいて立設された複数の支柱の上端部から前方に張出された複数の主梁と、該主梁の後端部間において左右方向に差し渡された後方側の桁梁と、前記主梁の前端部間において左右方向に差し渡された前方側の桁梁とが枠組されて形成された屋根枠に、上方に開口した箱形状の屋根材であって、前記屋根材は、前後の縦壁と左右の縦壁と底板によって箱形状に形成されると共に、前後の縦壁から外方に張出片がそれぞれ突設され、一方、前方側の桁梁と後方側の桁梁には屋根材の支持材が相対向して固定され、該支持材は各桁梁に固定される縦板部の上下端部から屋根材の方向へ上板部と下板部が突設され、前記上板部と下板部とに前記屋根材の張出片下面と底板下面とがそれぞれ載置されて、前記屋根材が屋根枠に取付けられていることを特徴とするものである。
【発明の効果】
【０００８】
本発明によれば、適宜間隔をおいて立設された複数の支柱の上端部から前方に張出された複数の主梁と、該主梁の後端部間において左右方向に差し渡された後方側の桁梁と、前記主梁の前端部間において左右方向に差し渡された前方側の桁梁とが枠組されて形成された屋根枠に、上方に開口した箱形状の屋根材を取付けるようにしているため、上方に開口した箱形状の屋根材を取付けるだけで、簡単に施工することができる。
【０００９】
また、本発明によれば、前記屋根材は、前後の縦壁と左右の縦壁と底板によって箱形状に形成されると共に、前後の縦壁から外方に張出片がそれぞれ突設され、一方、前方側の桁梁と後方側の桁梁には屋根材の支持材が相対向して固定され、該支持材は各桁梁に固定される縦板部の上下端部から屋根材の方向へ上板部と下板部が突設され、前記上板部と下板部とに前記屋根材の張出片下面と底板下面とがそれぞれ載置されて、前記屋根材が屋根枠に取付けられているため、前後の桁梁に固定された支持材に箱形状の屋根材の張出片及び底板を載置して屋根枠に取付けるだけで屋根の施工ができるので、非常に施工効率がよい。
【図面の簡単な説明】
【００１０】
【図１】本発明に係る屋根構造を備えた簡易屋根構造物の実施の一形態を示す、前方上方から見た斜視図である。
【図２】図１に示す形態において、屋根材を設置する状態を示す説明図である。
【図３】本発明に係る屋根構造に用いる屋根材を示す斜視図である。
【図４】本発明に係る屋根構造の、（イ）は前方側の桁梁部分の要部拡大断面図、（ロ）は後方側の桁梁部分の要部拡大断面図である。
【図５】本発明に係る屋根構造に用いる隣り合う屋根材の要部を示す拡大断面図である。
【図６】本発明に係る屋根構造を備えた簡易屋根構造物の別の実施形態を示す、後方上方斜めから見た説明図である。
【図７】図６の要部を示す、（イ）は前方側の桁梁部分の拡大断面図、（ロ）は後方側の桁梁部分の拡大断面図である。
【発明を実施するための形態】
【００１１】
次に、本発明を実施するための最良の形態について図面を参照し、具体的に説明する。
Ｋは簡易屋根構造物であって、１は下部が地中に埋設されて、左右方向に適宜間隔をおいて地表に立設された２本の支柱、２は各々の支柱１の上端部から前方に張出された主梁、３は該主梁２の後端部間において左右方向に差し渡された後方側の桁梁、４は前記主梁の前端部間において左右方向に差し渡された前方側の桁梁である。
【００１２】
５は上方に開口した箱形状の屋根材であって、前記主梁２と後方側の桁梁３と前方側の桁梁４とが枠組されて形成された屋根枠に、図２に示す様に上方から下方（矢印方向）に載置されて、４個並列に取付けられている。図３に示す様に、屋根材５は、前後の縦壁５１、５２と左右の縦壁５３、５４と底板５５によって箱形状に形成されると共に、前後の縦壁５１、５２から外方に向けて張出片５６、５６が略水平にそれぞれ突設されると共に、左右の縦壁５３、５４から内方に向けて張出片５７、５７が略水平にそれぞれ突設されて形成されている。また、底板５５の後方の縦壁５２側中央部には、円形の通孔５８が設けられ、更には該通孔５８に連設された円柱部を備えた導水部材５９を通して雨水が横樋６に導水される。
【００１３】
図４に示す様に、更に詳細に屋根構造を説明すると、断面略正方形状の前方側の桁梁４の屋根材５側の側面４１と、断面略縦長長方形状の後方側の桁梁３の屋根材側の側面３１とには、屋根材５の支持材７が相対向して固定され、該支持材７は各桁梁３、４に固定される縦板部７１の上下端部から屋根材５の方向へ上板部７２と下板部７３が突設され、支持材７は断面コ字状に形成されてなり、前記上板部７２と下板部７３とに前記屋根材５の張出片５６下面と底板５５下面とがそれぞれ載置されて、前記張出片５６と上板部７２とがリベット等の固定部材Ｒによって固定されて、前記屋根材５が屋根枠に取付けられている。なお、支柱２の上端部から前方に張出されている主梁２は水平よりもやや上方に向けて張出され、前方側の桁梁４と後方側の桁梁３とに固定されている支持材７、７に載置された屋根材５は後方側に向けて傾斜されて固定された状態となるため、雨水は屋根材５の底板５５上面を後方に向けて流れ、屋根材５の通孔５８から導水部材５９を通して横樋６に導水される。
【００１４】
図５に示す様に、隣り合う屋根材５、５は左右の縦壁５３、５４が当接されて配置されると共に、左右の縦壁５３、５４から屋根材５の内方に向けて突設された張出片５７、５７の上面が前後方向に亘って、下方に開口した断面コ字状の覆い材９により覆われて、タッピングネジ等の固定部材Ｒにより張出片５７と覆い材９とが固定されてなり、屋根材５、５の微小な隙間から雨水が屋根材５下方に滴下するのを防止するようになされている。
【００１５】
また前方側の桁梁４には前方に突出されて、下部材８１と上部材８２とからなる桁梁４を覆うカバー材８が取付けられている。つまり、前方側の桁梁４の前方側面４２には、Ｌ型の保持部材Ｈが固定され、該保持部材Ｈの下面に、逆台形状が一部切欠かれた形状の下部材８１がその先端部が前方に凸状になる様に固着され、該下部材８１の先端部に被せられる様に、前方側の桁梁４の上面４３には、横Ｌ字状の上部材８２が固着され、更に上部材８２の先端部８２１が下方に折曲されて、そこを伝って雨水が切れる、所謂水切り構造となされている。
【００１６】
また後方の桁梁３の下面３２には、水平状の平板部６１１の一端に上方に開口したコ字型部６１２が取付けられた横樋受け部材６１が固定部材Ｒにより固着されて、前記コ字型部６１２には、上方に開口した横樋６が載置され、上述の様に、底板５５の通孔５８に連設された導水部材５９を通して雨水が横樋６に導水されるようになされている。
【００１７】
屋根材５は、アルミ合金を上述の様な上方に開口した形状に形成されるため、平板状の金属板に比べ強度を向上させることができ、前記支持材７の上板部７２と下板部７３とに前記屋根材５の張出片５６下面と底板５５下面とがそれぞれ載置されて、前記屋根材５が屋根枠に取付けられているため、前後の桁梁３、４に固定された支持材７に箱形状の屋根材５の張出片５６及び底板５５を載置して屋根枠に取付けるだけで屋根の施工ができるので、非常に施工効率がよい。
【００１８】
図６及び図７には、本発明に係る屋根構造を備えた簡易屋根構造物Kの別の実施形態が示されており、上述の実施形態と異なる点のみ説明し、それ以外は省略する。
すなわち、本実施形態においては、前方側の桁梁４を覆うカバー材８の上部材８２の後端が下方に折曲された垂下壁８２２が設けられ、該垂下壁８２２と屋根材５の前側の縦壁５１とが固定部材Ｒにより固定されている。そして、後方側の桁梁３にもカバー材８の上部材８２が配置されて、該上部材８２の前端が下方に折曲された垂下壁８２２が設けられ、該垂下壁８２２と屋根材５の後側の縦壁５２とが固定部材Ｒにより固定されている。なお、屋根材５の前後の縦壁５１、５２と上部材８２の垂下壁８２２との間に、ゴムやエラストマー等を止水部材として挟持させてもよい。
【産業上の利用可能性】
【００１９】
本発明によれば、正面側カバー材が母屋の正面部に取り付けられるカバー部と該カバー部の上部より背面側に延びる延設部とを備え、該延設部と母屋の上面部との間に屋根材の正面側端部が挿入されて保持されるようになされているため、多数のボルト・ナットやビス等を、直接屋根材に螺入して固定する必要がないため、簡易屋根構造物を組み立てる時間を大幅に短縮できると共に、ボルト孔やビス孔を屋根材に穿設する必要がないため、孔部端面から発生しやすい屋根材の腐食を防止することができる簡易屋根構造物として好適に利用できる。
【符号の説明】
【００２０】
１    支柱
２    主梁
３    桁梁
３１  側面
３２  下面
４    桁梁
４１  側面
４２  側面
４３  上面
５    屋根材
５１  縦壁
５２  縦壁
５３  縦壁
５４  縦壁
５５  底板
５６  張出片
５７  張出片
５８  通孔
５９  導水部材
６    横梁
６１  横梁受け部材
６１１平板部
６１２コ字型部
７    支持材
７１  縦板部
７２  上板部
７３  下板部
８    カバー材
８１  下部材
８２  上部材
８２１先端部
８２２垂下壁
９    覆い材
Ｋ    簡易屋根構造物
Ｒ    固定部材
Ｈ    保持具
【図１】
0005597081.tif 000002
【図２】
0005597081.tif 000003
【図３】
0005597081.tif 000004
【図４】
0005597081.tif 000005
【図５】
0005597081.tif 000006
【図６】
0005597081.tif 000007
【図７】
0005597081.tif 000008